(57)【特許請求の範囲】
【請求項１】
少なくとも一部が筒状にされ反対側に二つの開口を有する形状に形成された筒状筐体と、
前記筒状筐体の一端部に一方の前記開口を閉塞する状態で結合されたベース部と前記ベース部の一方の面から突出され皮膚を穿刺する複数の針部とを有すると共に前記ベース部から前記針部の先端に亘る位置に封入剤を送出する送出孔が形成された針状構造体と、
空気流入孔を有し前記筒状筐体の他端部に他方の前記開口を閉塞する状態で結合された蓋体と、
前記封入剤の前記送出孔からの非送出時に前記蓋体に貼り付けられ前記空気流入孔を閉塞する封止フィルムとを備え、
前記ベース部と前記筒状筐体と前記蓋体によって、前記送出孔と前記空気流入孔に連通され膨張剤と前記封入剤が分離された状態で封入される内部空間が形成され、
前記膨張剤は空気遮断フィルムの内部に収容された状態で前記内部空間に封入されるとともに鉄を主成分とした材料から成り、
前記空気遮断フィルムに貫通孔が形成されて前記空気流入孔から空気が流入され、前記流入された空気中の少なくとも酸素により酸化鉄が生成されて前記膨張剤が膨張され、前記膨張剤の膨張によって前記封入剤に圧力が付与されて前記封入剤が前記送出孔から送出され、
前記封止フィルムが前記蓋体に貼り付けられて前記封入剤の前記送出孔からの送出が停止される
封入剤送出装置。
【請求項２】
前記封入剤がバリアフィルムによって覆われた状態で前記内部空間に封入され、
前記バリアフィルムの各部がそれぞれ前記封入剤と前記筒状筐体の間及び前記封入剤と前記膨張剤の間に位置される
請求項１に記載の封入剤送出装置。
【発明の詳細な説明】
【技術分野】
【０００１】
本発明は、内部空間に封入された封入剤を皮膚に穿刺される複数の針部から送出する封入剤送出装置についての技術分野に関する。
【先行技術文献】
【特許文献】
【０００２】
【特許文献１】特許４４２７６９１号
【特許文献２】米国特許第３９６４４８２号
【特許文献３】国際公開第２０００／７４７６４号
【特許文献４】特許公開２０１３−９０８０８号
【背景技術】
【０００３】
注射を用いて表皮、真皮、皮下、筋肉に針を穿刺して薬剤を患者に投与する方法があるが、真皮より内側への針の穿刺は患者において痛みが生じ苦痛を伴うことが多い。
【０００４】
一方、薬剤を液状にして皮膚に塗布し浸透させ患者に投与する方法がある。この方法においては、患者に苦痛を伴うことなく薬剤を投与することが可能であるが、発汗や機械的要因によって薬剤が皮膚から除去されることがあり、患者への薬剤の投与が不十分になるおそれがある。また、薬剤を皮膚に塗布して浸透させる方法にあっては、分子量の大きな薬剤が投与される場合に、皮膚からの吸収が不十分になり皮膚に障害を及ぼすおそれもある。
【０００５】
そこで、薬剤を低分子のコラーゲン等に混合し、複数の針部を有する針状構造体を粘着テープを用いて皮膚に貼ることにより注射する方法がある（例えば、特許文献１参照）。このような方法は「貼る注射」として知られ、薬剤を含んだコラーゲン等の針部が体温によって溶解され、薬剤が皮膚（表皮）で吸収され、痛みを伴わずに薬剤を投与することができる。
【０００６】
また、針を皮膚に穿刺して液状の薬剤をリザーバーから電気泳動やポンプやモーター等を用いて供給して皮下に注入する方法がある（例えば、特許文献２、特許文献３及び特許文献４参照）。この方法は、薬剤を供給するための大きなリザーバーを要しているため、「貼る注射」よりも多くの薬剤を患者に投与することが可能である。
【発明の概要】
【発明が解決しようとする課題】
【０００７】
ところが、特許文献２乃至特許文献４に記載された方法にあっては、患者に痛みを伴うことなく多くの薬剤を投与することが可能であるが、リザーバーが必要であると共に電気回路やポンプ等が必要であり、複雑な構造の大掛かりな装置を用いることになり、特に、日常生活において使用する際に不都合を生じてしまう。
【０００８】
そこで、本発明封入剤送出装置は、上記した問題点を克服し、構造の簡素化及び小型化を図ることを目的とする。
【課題を解決するための手段】
【０００９】
第１に、本発明に係る封入剤送出装置は、少なくとも一部が筒状にされ反対側に二つの開口を有する形状に形成された筒状筐体と、前記筒状筐体の一端部に一方の前記開口を閉塞する状態で結合されたベース部と前記ベース部の一方の面から突出され皮膚を穿刺する複数の針部とを有すると共に前記ベース部から前記針部の先端に亘る位置に封入剤を送出する送出孔が形成された針状構造体と、空気流入孔を有し前記筒状筐体の他端部に他方の前記開口を閉塞する状態で結合された蓋体と、前記封入剤の前記送出孔からの非送出時に前記蓋体に貼り付けられ前記空気流入孔を閉塞する封止フィルムとを備え、前記ベース部と前記筒状筐体と前記蓋体によって、前記送出孔と前記空気流入孔に連通され膨張剤と前記封入剤が分離された状態で封入される内部空間が形成され、前記膨張剤は空気遮断フィルムの内部に収容された状態で前記内部空間に封入されるとともに鉄を主成分とした材料から成り、前記空気遮断フィルムに貫通孔が形成されて前記空気流入孔から空気が流入され、前記流入された空気中の少なくとも酸素により酸化鉄が生成されて前記膨張剤が膨張され、前記膨張剤の膨張によって前記封入剤に圧力が付与されて前記封入剤が前記送出孔から送出され、前記封止フィルムが前記蓋体に貼り付けられて前記封入剤の前記送出孔からの送出が停止されるものである。
【００１０】
これにより、患者の皮膚に複数の針部が穿刺された状態において膨張剤が膨張されることにより内部空間に封入された封入剤が送出孔から送出される。また、膨張剤の膨張によって封入剤に圧力が付与されて封入剤が送出孔から送出される。さらに、膨張剤が空気と遮断されるため、封入剤の送出前において膨張剤が膨張されることがない。さらにまた、封入剤送出装置の非使用時に空気流入孔に異物が侵入して空気遮断フィルムに貫通孔が形成されることがない。
【００１３】
第２に、上記した本発明に係る封入剤送出装置においては、前記封入剤がバリアフィルムによって覆われた状態で前記内部空間に封入され、前記バリアフィルムの各部がそれぞれ前記封入剤と前記筒状筐体の間及び前記封入剤と前記膨張剤の間に位置されることが望ましい。
【００１４】
これにより、封入剤が膨張剤と分離され、膨張剤及び筒状筐体からの封入剤への金属イオン等の生体不適合成分が侵入されない。
【発明の効果】
【００１９】
本発明によれば、患者の皮膚に複数の針部が穿刺された状態において膨張剤が膨張されることにより内部空間に封入された封入剤が送出孔から送出されるため、リザーバーや電気回路やポンプ等の構造が不要になり、構造の簡素化及び小型化を図ることができる。
【図面の簡単な説明】
【００２０】
【図１】図２乃至図１１と共に本発明封入剤送出装置の実施の形態を示すものであり、本図は、封入剤送出装置の全体構造を示す断面図である。
【図２】図２乃至図６と共に封入剤送出装置の組立の手順を示すものであり、本図は、筒状筐体に針状構造体が結合された状態を示す断面図である。
【図３】筒状筐体の内部に、順に、バリアフィルムによって覆われた封入剤と空気遮断フィルムの内部に収容された膨張剤とが挿入された状態を示す断面図である。
【図４】筒状筐体に蓋体が結合された状態を示す断面図である。
【図５】蓋体に封止フィルムが貼り付けられて空気流入孔が閉塞された状態を示す断面図である。
【図６】封入剤送出装置の一部に貼着テープが貼り付けられて注射器が構成された状態を示す断面図である。
【図７】図８及び図９と共に封入剤送出装置の使用時における作業及び動作を示すものであり、本図は、粘着テープが皮膚に貼り付けられ、針部が皮膚に穿刺された状態を示す断面図である。
【図８】蓋体から封止フィルムが剥離され、空気流入孔に孔開け治具が挿入され空気遮断フィルムに貫通孔が形成された状態を示す断面図である。
【図９】空気遮断フィルムの内部に空気が流入され、膨張剤が膨張されて封入剤が送出孔から送出された状態を示す断面図である。
【図１０】封入剤送出装置の第１の変形例を示す断面図である。
【図１１】封入剤送出装置の第２の変形例を示す断面図である。
【発明を実施するための形態】
【００２１】
以下に、本発明封入剤送出装置を実施するための形態について添付図面を参照して説明する。
【００２２】
封入剤送出装置には複数の針部が設けられており、以下の説明にあっては、針部の延びる方向を上下方向とし、針部の先端方向を下方として上下方向を示すものとする。尚、以下に示す上下方向は説明の便宜上のものであり、本発明の実施に関しては、これらの方向に限定されることはない。
【００２３】
＜封入剤送出装置の全体構造＞
先ず、封入剤送出装置１の全体構造について説明する（図１参照）。
【００２４】
封入剤送出装置１は、上下に貫通された円筒状や角筒状等の筒状に形成された筒状筐体２と筒状筐体２の下端部に結合された針状構造体３と筒状筐体２の上端部に結合された蓋体４とを有している。
【００２５】
筒状筐体２は、例えば、剛性の高いステンレス等の金属材料や剛性の高い樹脂材料によって形成されている。筒状筐体２は、例えば、外径（外形）が１０ｍｍ程度にされている場合に厚みが０．５ｍｍ〜２．０ｍｍにされ、例えば、高さが１ｍｍ〜１０ｍｍにされている。筒状筐体２の高さが１ｍｍ〜１０ｍｍにされることにより、封入剤送出装置１の高さが必要以上に高くなることがなく、封入剤送出装置１が後述する貼着テープによって皮膚に貼り付けられた状態において外部からの剥がす力を受け難くされている。
【００２６】
針状構造体３は上下方向を向く平板状のベース部５とベース部５から下方へ突出され皮膚に穿刺される複数の針部６、６、・・・とが生体適合材料や生分解性高分子材料によって一体に形成されている。針状構造体３は、例えば、フォトリソ工程やＬＩＧＡ（Lithographie Galvanoformung Abformung）によって形成された成形型に材料（溶融材料又はペースト状の材料）が充填され固化された後に成形型から離型されることにより形成される。
【００２７】
生体適合材料としては、例えば、ポリイミドやポリアミド等が用いられ、生分解性高分子材料としては、例えば、ポリ乳酸、ポリヒドロキシ酪酸、ポリエチレンテレフタレート等が用いられる。針状構造体３は針部６、６、・・・が皮膚に穿刺されるため、皮膚に穿刺される際の折れを防止する必要があり、一定以上の剛性が必要とされる。従って、針状構造体３は弾性率が０．５ＧＰａ以上の材料によって形成されることが望ましい。
【００２８】
ベース部５は円板状又は矩形板状に形成され、外径（外形）が筒状筐体２の外径（外形）と同じ大きさに形成されている。
【００２９】
針部６、６、・・・はベース部５の下面５ａから下方へ突出され、水平方向において離隔して位置されている。針部６はマイクロニードルと称される微少な突起であり、例えば、下方へ行くに従って径が小さくなる円錐台状又は角錐台状に形成され、長さが、例えば、１００μｍ〜２００μｍにされ、先端の径（幅）が５０μｍ以下にされ、基端（付け根）の径（幅）が１００μｍ以下にされている。
【００３０】
針部６の各径（各幅）及び長さを上記のような値にすることにより、針部６が皮膚に穿刺される際に折れ難くなると共に患者が苦痛を伴い難くなる。また、針部６、６、・・・のピッチ（間隔）は、小さ過ぎると皮膚への穿刺が行い難くなり、大き過ぎると針部６、６、・・・の数が少なくなり過ぎ、後述する封入剤（薬剤や化粧剤等）の投与が不十分になるため、皮膚への穿刺が行われ易く十分に封入剤の投与が行われる値、例えば、０．４〜１．０ｍｍが好適である。
【００３１】
針状構造体３にはベース部５の上面５ｂから針部６、６、・・・の先端に亘る位置に、それぞれ封入剤が送り出される送出孔３ａ、３ａ、・・・が形成されている。送出孔３ａは針状構造体３を貫通された状態で形成され、径が、例えば、１０μｍ以下にされている。
【００３２】
針状構造体３はベース部５の外周部が筒状筐体２の下面に結合されている。ベース部５の筒状筐体２に対する結合は、例えば、接着や熱圧着等によって行われ、ベース部５が筒状筐体２に結合されることにより、筒状筐体２の下側の開口２ａがベース部５によって閉塞される。ベース部５の筒状筐体２に対する結合に際して用いられる接着剤としては、針状構造体３と同様の成分の生体適合性の接着剤又は生分解性の高分子接着剤が用いられる。
【００３３】
蓋体４は金属材料又は樹脂材料によって形成され、本体部７と本体部７の上端部から外方へ張り出されたフランジ部８とから成る。
【００３４】
本体部７はフランジ部８より下側の外径（外形）の大きさが針状構造体２の内径（内形）の大きさと略同じにされている。本体部７には上下に貫通された空気流入孔７ａが形成されている。空気流入孔７ａは複数が形成されていてもよい。
【００３５】
蓋体４は、本体部７のうちフランジ部８より下側の部分が筒状筐体２の上端部に嵌合され、フランジ部８が、例えば、接着や熱圧着等によって結合される。蓋体４が筒状筐体２に結合されることにより、筒状筐体２の上側の開口２ｂが本体部８によって閉塞される。
【００３６】
尚、封入剤送出装置１が繰り返し使用可能なタイプである場合には、封入剤送出装置１の内部に後述する封入剤と膨張剤を繰り返し封入する必要があるため、蓋体４は筒状筐体２に接着や熱圧着等によって結合されることなく、筒状筐体２に対して取外可能な状態で結合される。
【００３７】
上記のように筒状筐体２に下側から針状構造体３が結合され上側から蓋体４が結合されることにより、ベース部５と筒状筐体２と本体部８によって内部空間９が形成される。内部空間９は針状構造体３の送出孔３ａ、３ａ、・・・と蓋体４の空気流入孔７ａに連通されている。
【００３８】
内部空間９には封入剤１０と膨張剤１１が、例えば、上下方向において分離された状態で封入されている。
【００３９】
封入剤１０は膨張剤１１の下側に位置されている。封入剤１０は薬剤や化粧剤等の人の皮膚から体内に投与される物質であり、経皮吸収製剤として使用されている水溶性の薬剤や化粧剤等であれば特に限定されることがなく、皮膚から体内に投与されるものであればよく、例えば、健康補助剤等であってもよい。
【００４０】
薬剤としては、例えば、解熱鎮痛消炎剤、ステロイド系抗炎症剤、血管拡張剤、不整脈用剤、血圧降下剤、局所麻酔剤、ホルモン剤、抗ヒスタミン剤、全身麻酔剤、睡眠鎮痛剤、抗癲癇剤、精神神経用剤、骨格筋弛緩剤、自立神経用剤、抗パーキンソン剤、利尿剤、血管収縮剤、呼吸促進剤等が挙げられる。化粧剤としては、例えば、美白成分、抗しわ成分、血行促進成分、ダイエット成分、抗菌成分等の各成分を有するものが挙げられる。
【００４１】
封入剤１０は内部空間９に封入された状態において、針部６、６、・・・が皮膚に穿刺されたときに体温で溶融するように低分子のコラーゲンやゼラチン等によってゲル化されている。封入剤１０は針状構造体３のベース体５に接する面以外はバリアフィルム１２によって覆われ、バリアフィルム１２の各部が封入剤１０と筒状筐体２の間及び封入剤１０と膨張剤１１の間に位置され、バリアフィルム１２の各部が筒状筐体２の内周面と膨張剤１１の下面とに密着されている。
【００４２】
バリアフィルム１２としては、例えば、エチレン−酢酸ビニル共重合体、ポリエチレン、ポリエチレン及びエチレン−酢酸ビニル共重合体、環状オレフィンコポリマー、ポリプロピレン等によって形成されている。
【００４３】
上記したように、バリアフィルム１２の各部が封入剤１０と筒状筐体２の間及び封入剤１０と膨張剤１１の間に位置されることにより、封入剤１０が膨張剤１１と確実に分離され、膨張剤１１及び筒状筐体２からの封入剤１０への金属イオン等の生体不適合成分の侵入が防止され、体内への生体不適合成分の侵入を防止することができる。
【００４４】
封入剤１０の針状構造体３のベース体５に接する面はバリアフィルム１２によって覆われていないため、ゲル化された封入剤１０の一部は送出孔３ａ、３ａ、・・・に充填されている。尚、封入剤１０の送出孔３ａ、３ａ、・・・への充填は、例えば、封入剤１０に人の体温と同じ温度の熱を加えて封入剤１０を液化して内部空間９側から送出孔３ａ、３ａ、・・・に針部６、６、・・・の先端まで封入されるように押し込むことにより行う。封入剤１０が送出孔３ａ、３ａ、・・・に封入された状態においては、封入剤１０の針部６、６、・・・からの不必要な送出が行われないようにするために封入剤１０を冷却してゲル化することが望ましい。
【００４５】
膨張剤１１は金属粉末、例えば、鉄粉等を主成分とした材料から成り、空気中の少なくとも酸素により酸化鉄が生成されて膨張される。具体的には、膨張剤１１は鉄粉等の金属粉末を主成分として、食塩等の金属ハロゲン化物又は硫酸金属塩類等の反応助剤と水及び高分子吸収剤等の保水剤とによって形成されている。
【００４６】
膨張剤１１は空気遮断フィルム１３の内部に収容され空気と遮断された状態で内部空間９に封入されている。空気遮断フィルム１３は、例えば、エチレン−ビニルアルコール共重合樹脂やナイロン（合成高分子ポリアミド）系の合成樹脂によって形成されている。
【００４７】
空気遮断フィルム１３は各部が筒状筐体２の内周面と蓋体４の下面とバリアフィルム１２の上面とに密着されている。
【００４８】
膨張剤１１は、空気遮断フィルム１３に貫通孔が形成されると、蓋体４の空気流入孔７ａを介して流入される空気によって鉄が酸化鉄に変化され、熱を発生すると共に体積が約２．５倍に膨張する。膨張剤１１が膨張すると、膨張によって封入剤１０に圧力が付与されて封入剤１０が送出孔３ａ、３ａ、・・・から送出される。膨張剤１１は体積が約２．５倍に膨張するため、例えば、厚さ０．５ｍｍ分の膨張剤１１は、厚さ０．７５ｍｍ分の封入剤１０を送出孔３ａ、３ａ、・・・から送出させることが可能である。
【００４９】
上記したように、膨張剤１１が空気遮断フィルム１３によって覆われることにより、膨張剤１１が空気と遮断されるため、封入剤１０の送出前において膨張剤１１が誤って膨張されることがなく、封入剤１０の誤送出を防止することができる。また、膨張される前において膨張剤１１を体積が小さい状態で保存することができ、その分、内部空間９の大きさを小さくすることが可能であり、封入剤送出装置１の小型化を図ることができる。
【００５０】
蓋体４の上面には封止フィルム１４が貼り付けられている。封止フィルム１４としては、蓋体４に対する貼付と剥離を繰り返し行うことが可能な粘着テープ等が用いられる。封止フィルム１４によって蓋体４の空気流入孔７ａが封止される。
【００５１】
封止フィルム１４は封入剤送出装置１の使用時（薬剤等の投与時）に蓋体４から剥離され、蓋体４が剥離されることにより空気流入孔７ａの封止状態が解除される。
【００５２】
このように蓋体４に封止フィルム１４が貼り付けられることにより、封入剤送出装置１の非使用時に空気流入孔７ａが封止され、封入剤送出装置１の非使用時に誤って空気流入孔７ａに異物が侵入して空気遮断フィルム１３に貫通孔が形成されることがなく、封入剤送出装置１の誤使用を防止することができる。
【００５３】
また、蓋体４に封止フィルム１４が貼り付けられることにより、空気流入孔７ａに異物が侵入して目詰まりし空気流入孔７ａにおける空気の流入が阻害されることがなく、封入剤送出装置１の使用時に確実に封入剤１０を外部へ送出させることができる。
【００５４】
＜封入剤送出装置の組立の手順＞
次に、上記した封入剤送出装置１の組立の手順について説明する（図２乃至図６参照）。
【００５５】
先ず、筒状筐体２の下端部に接着や熱圧着等によって針状構造体３のベース部５を結合する（図２参照）。
【００５６】
次に、筒状筐体２の内部に、バリアフィルム１２によって覆われた封入剤１０と空気遮断フィルム１３の内部に収容された膨張剤１１とを上側から順に挿入する（図３参照）。封入剤１０は下面がベース部５の上面５ｂに接した状態にされ、空気遮断フィルム１３の下面がバリアフィルム１２の上面に接した状態にされる。
【００５７】
続いて、筒状筐体２の上端部に蓋体４を結合する（図４参照）。筒状筐体２が蓋体４に結合されることにより内部空間９が形成され、内部空間９に封入剤１０と膨張剤１１が封入される。
【００５８】
次いで、蓋体４の上面に封止フィルム１４を貼り付けて空気流入孔７ａを閉塞し、封入剤送出装置１の組立を終了する（図５参照）。
【００５９】
上記のように封入剤送出装置１が組み立てられたときには、上記したように、封入剤１０に人の体温と同じ温度の熱を加えて封入剤１０を液化して内部空間９側から送出孔３ａ、３ａ、・・・に押し込み、封入剤１０を冷却してゲル化する。
【００６０】
最後に、封入剤送出装置１の一部に貼着テープ１５、１５を貼り付ける（図６参照）。封入剤送出装置１の一部に貼着テープ１５、１５が貼り付けられることにより注射器１６が構成される。貼着テープ１５、１５はそれぞれ基材層１５ａ、１５ａと粘着層１５ｂ、１５ｂを有している。封入剤送出装置１の使用時には粘着層１５ｂ、１５ｂが皮膚に粘着されて粘着テープ１５、１５が貼り付けられる。
【００６１】
＜封入剤送出装置の使用時における作業及び動作＞
以下に、封入剤送出装置１の使用時における作業及び動作について説明する（図７乃至図９参照）。
【００６２】
封入剤送出装置１の使用時は、上記したように、貼着テープ１５、１５が貼り付けられ注射器１６が構成された状態において行われる。
【００６３】
先ず、粘着テープ１５、１５を皮膚１００に貼り付け、針状構造体３の針部６、６、・・・を皮膚１００に穿刺する（図７参照）。
【００６４】
次に、蓋体４から封止フィルム１４を剥離し、空気流入孔７ａに上側から針状の孔開け治具５０を挿入し空気遮断フィルム１３に孔開け治具５０の先端を押し付ける（図８参照）。空気遮断フィルム１３に孔開け治具５０の先端が押し付けられることにより、空気遮断フィルム１３に貫通孔が形成される。
【００６５】
空気遮断フィルム１３に貫通孔が形成されると、空気流入孔７ａを介して貫通孔から空気遮断フィルム１３の内部に空気が流入され、空気中の少なくとも酸素により酸化鉄が生成されて膨張剤１１が膨張される（図９参照）。膨張剤１１が膨張されると、封入剤１０に圧力が付与される。このとき皮膚１００に穿刺された針部６、６、・・・に体温による熱が加えられており、送出孔３ａ、３ａ、・・・に封入されている封入剤１０が溶融されて液化され、封入剤１０が送出孔３ａ、３ａ、・・・から送出される。送出孔３ａ、３ａ、・・・から送出された封入剤１０は、皮膚１００を通して体内に投与される。
【００６６】
封入剤送出装置１にあっては、上記したように、膨張剤１１の下側に封入剤１０が封入されているため、膨張剤１１の膨張時に封入剤１０が上方から押圧され、封入剤１０が内部空間９から送出孔３ａ、３ａ、・・・に順次送り込まれるときに、膨張剤１１を収容する空気遮断フィルム１３によって送出孔３ａ、３ａ、・・・の上側の開口が閉塞され難い。従って、封入剤１０が内部空間９から各送出孔３ａ、３ａ、・・・に一定の速度で一定量ずつ送り込まれ、封入剤送出装置１の安定した使用状態を確保することができる。
【００６７】
尚、封入剤送出装置１の使用時に途中で封入剤１０の送出を停止させたい場合には、蓋体４に再び封止フィルム１４を貼り付けて空気流入孔７ａを閉塞し、空気遮断フィルム１３の内部への空気の流入が行われないようにして膨張剤１１の膨張を停止させればよい。
【００６８】
上記したように、封入剤送出装置１にあっては、膨張剤１１が鉄を主成分とした材料から成り空気中の少なくとも酸素により酸化鉄が生成されて膨張され封入剤１０が外部へ送出されるため、簡単な構成により確実に封入剤１０を外部へ送出させることができる。また、膨張される前において膨張剤１１を体積が小さい状態で保存することができ、その分、内部空間９の大きさを小さくすることが可能であり、封入剤送出装置１の小型化を図ることができる。
【００６９】
＜封入剤送出装置の変形例＞
以下に、封入剤送出装置の各変形例について説明する（図１０及び図１１参照）。
【００７０】
先ず、第１の変形例に係る封入剤送出装置１Ａについて説明する（図１０参照）。尚、以下に示す第１の変形例に係る封入剤送出装置１Ａは、上記した封入剤送出装置１と比較して、筒状筐体の形状が異なることのみが相違するため、封入剤送出装置１と比較して異なる部分についてのみ詳細に説明をし、その他の部分については封入剤送出装置１における同様の部分に付した符号と同じ符号を付して説明は省略する。
【００７１】
封入剤送出装置１Ａは筒状筐体２Ａを有し、筒状筐体２Ａは上下に貫通された円筒状や角筒状等の筒状に形成された筒状部１７と筒状部１７の下端部から内方へ張り出された内フランジ部１８とから成る。
【００７２】
針状構造体３のベース部５は外径（外形）が筒状部１７の内径（内形）と同じ大きさに形成されている。針状構造体３はベース部５の外周部が内フランジ部１８の上面に結合されている。
【００７３】
封入剤送出装置１Ａにおいては、内フランジ部１８が設けられているため、筒状筐体２の内部に、針状構造体３とバリアフィルム１２によって覆われた封入剤１０と空気遮断フィルム１３の内部に収容された膨張剤１１とを上側から順に挿入することにより組み立てることが可能である。
【００７４】
従って、封入剤送出装置１Ａにあっては、組立が簡単であり、製造コストの削減及び製造時間の短縮化を図ることができる。
【００７５】
次に、第２の変形例に係る封入剤送出装置１Ｂについて説明する（図１１参照）。尚、以下に示す第２の変形例に係る封入剤送出装置１Ｂは、上記した封入剤送出装置１と比較して、封入剤と膨張剤の内部空間における封入状態が異なることのみが相違するため、封入剤送出装置１と比較して異なる部分についてのみ詳細に説明をし、その他の部分については封入剤送出装置１における同様の部分に付した符号と同じ符号を付して説明は省略する。
【００７６】
封入剤送出装置１Ｂは、内部空間９に封入剤１０と膨張剤１１が、例えば、内外において分離された状態で封入されている。
【００７７】
封入剤１０は円柱状又は角柱状にされ、内部空間９における中央側の部分に封入され、針状構造体３のベース体５に接する面以外がバリアフィルム１２Ｂによって覆われている。封入剤１０は針状構造体３のベース体５に接する面が、針状構造体３に形成された送出孔３ａ、３ａ、・・・の上側に位置されている。
【００７８】
膨張剤１１は環状にされ、空気遮断フィルム１３Ｂの内部に収容された状態で内部空間９における外周側の部分に封入され、封入剤１０の外周側に位置されている。空気遮断フィルム１３Ｂは各部が筒状筐体２の内周面と蓋体４の下面とベース部５の上面５ｂと封入剤１０の外周面とに密着されている。
【００７９】
蓋体４には空気遮断フィルム１３Ｂに連通する位置に空気流入孔７ａが形成されている。
【００８０】
尚、封入剤送出装置１Ｂは内部空間９における封入剤１０と膨張剤１１の封入状態の一例を示したものであり、封入剤１０と膨張剤１１は膨張剤１１の膨張により封入剤１０が送出孔３ａ、３ａ、・・・から送出される位置関係にされていればよく、内部空間９において任意の封入状態にすることが可能である。
【００８１】
＜まとめ＞
以上に記載した通り、封入剤送出装置１、１Ａ、１Ｂにあっては、針状構造体３のベース部５と筒状筐体２と蓋体４によって、送出孔３ａ、３ａ、・・・と空気流入孔７ａに連通され膨張剤１１と封入剤１０が分離された状態で封入される内部空間９が形成され、膨張剤１１の膨張によって封入剤１０が送出孔３ａ、３ａ、・・・から送出されるように構成されている。
【００８２】
従って、患者の皮膚に複数の針部６、６、・・・が穿刺された状態において膨張剤１１が膨張されることにより内部空間９に封入された封入剤１０が送出孔３ａ、３ａ、・・・から送出されるため、リザーバーや電気回路やポンプ等の構造が不要になり、構造の簡素化及び小型化を図ることができる。
【符号の説明】
【００８３】
１…封入剤送出装置
２…筒状筐体
２ａ…開口
２ｂ…開口
３…針状構造体
３ａ…送出孔
４…蓋体
５…ベース部
６…針部
７ａ…空気流入孔
９…内部空間
１０…封入剤
１１…膨張剤
１２…バリアフィルム
１３…空気遮断フィルム
１４…封止フィルム
１００…皮膚
１Ａ…封入剤送出装置
２Ａ…筒状筐体
１Ｂ…封入剤送出装置
１２Ｂ…バリアフィルム
１３Ｂ…空気遮断フィルム
【要約】 
【課題】  構造の簡素化及び小型化を図る。
【解決手段】  反対側に二つの開口２ａ、２ｂを有する形状に形成された筒状筐体２と、筒状筐体の一端部に結合されたベース部５とベース部から突出され皮膚１００を穿刺する複数の針部６、６、・・・とを有すると共にベース部から針部の先端に亘る位置に送出孔３ａ、３ａ、・・・が形成された針状構造体３と、空気流入孔７ａを有し筒状筐体の他端部に結合された蓋体４とを備えた。ベース部と筒状筐体と蓋体によって、送出孔と空気流入孔に連通され膨張剤１１と封入剤１０が分離された状態で封入される内部空間９が形成され、膨張剤が空気流入孔から流入される空気によって膨張され封入剤に圧力が付与されて送出孔から送出される。これにより内部空間に封入された封入剤が送出孔から送出されるため、構造の簡素化及び小型化を図ることができる。
【選択図】図１【図１】
0005550775.tif 000002
【図２】
0005550775.tif 000003
【図３】
0005550775.tif 000004
【図４】
0005550775.tif 000005
【図５】
0005550775.tif 000006
【図６】
0005550775.tif 000007
【図７】
0005550775.tif 000008
【図８】
0005550775.tif 000009
【図９】
0005550775.tif 000010
【図１０】
0005550775.tif 000011
【図１１】
0005550775.tif 000012